【手続補正書】
【提出日】平成26年9月16日(2014.9.16)
【手続補正１】
【補正対象書類名】明細書
【補正対象項目名】０００８
【補正方法】変更
【補正の内容】
【０００８】
本発明に係る撮像装置は、レンズ鏡筒の周囲に形成される第１のバヨネット係合部と、前記第１のバヨネット係合部と係合可能な第２のバヨネット係合部が形成される第１の部材と、前記第１の部材に対して回転する回転操作部材と、前記回転操作部材が回転操作するときに、前記回転操作部材と一体となって回転する第２の部材と、前記第２の部材の回転を検出する検出手段と、前記第１のバヨネット係合部と前記第２のバヨネット係合部とが係合するときに、前記第１の部材の前記第１のバヨネット係合部に対する回転を阻止する第１のロック部材と、前記第１の部材の回転阻止を解除する動作に連動して、前記回転操作部材と前記第２の部材との前記第１の部材に対する回転を阻止する第２のロック部材とを備えることを特徴とする。
【手続補正２】
【補正対象書類名】特許請求の範囲
【補正対象項目名】全文
【補正方法】変更
【補正の内容】
【特許請求の範囲】
【請求項１】
レンズ鏡筒の周囲に形成される第１のバヨネット係合部と、
前記第１のバヨネット係合部と係合可能な第２のバヨネット係合部が形成される第１の部材と、
前記第１の部材に対して回転する回転操作部材と、
前記回転操作部材が回転操作するときに、前記回転操作部材と一体となって回転する第２の部材と、
前記第２の部材の回転を検出する検出手段と、
前記第１のバヨネット係合部と前記第２のバヨネット係合部とが係合するときに、前記第１の部材の前記第１のバヨネット係合部に対する回転を阻止する第１のロック部材と、
前記第１の部材の回転阻止を解除する動作に連動して、前記回転操作部材と前記第２の部材との前記第１の部材に対する回転を阻止する第２のロック部材と
を備えることを特徴とする撮像装置。
【請求項２】
前記第２の部材には第１の開口部が周方向に一定の間隔で複数形成され、前記第２のロック部材は、前記第２のロック部材が前記第１の開口部の１つに嵌合したときに、前記回転操作部材及び前記第２の部材との前記第１の部材に対する回転を阻止することを特徴とする請求項１記載の撮像装置。
【請求項３】
前記検出手段は、前記第２の部材に対して光線を出射すると共に、前記第２の部材で反射される反射光と前記第１の開口部を通過することによって前記第１の部材で反射される反射光とを検出する第１のフォトリフレクタおよび第２のフォトリフレクタを備え、
前記第１の部材と前記第２の部材のそれぞれにおいて前記第１のフォトリフレクタと第２のフォトリフレクタから出射された光線が照射される面では、前記光線に対する反射率が異なり、
前記回転操作部材を回転させたときに、前記第２の部材からの反射光と前記第１の部材からの反射光を交互に検出する周期が、前記第１のフォトリフレクタと前記第２のフォトリフレクタとでは１／４周期ずれており、
前記第１のフォトリフレクタと前記第２のフォトリフレクタのそれぞれで前記第２の部材からの反射光の検出と前記第１の部材からの反射光の検出とが切り替わるタイミングのずれに基づいて前記回転操作部材の回転方向が検出されることを特徴とする請求項２記載の撮像装置。
【請求項４】
前記第１のフォトリフレクタと前記第２のフォトリフレクタの各々で前記第２の部材からの反射光の検出と前記第１の部材からの反射光の検出とが切り替わる回数に基づいて前記回転操作部材の回転量が検出されることを特徴とする請求項３記載の撮像装置。
【請求項５】
前記第２の部材には前記第１の開口部より小さい幅を有する第２の開口部が周方向に一定の間隔で複数形成され、
前記撮像装置は、さらに、
一部が前記第２の部材に形成された前記第２の開口部の１つに沈むように配置される鋼球と、
前記鋼球を前記第２の部材に対して付勢するクリックバネとを備え、
前記第２の部材が前記第１の部材に対して回転するときに、前記鋼球が前記第２のリング部材の前記第２の開口部の１つに係合した状態と前記第２のリング部材の表面を滑る状態とが切り替わることでクリック感を発生させることを特徴とする請求項２乃至４のいずれか１項に記載の撮像装置。
【請求項６】
前記第１の部材は、光学アクセサリの取り付けが可能なアダプタ部を有することを特徴とする請求項１乃至５のいずれか１項に記載の撮像装置。
【請求項７】
前記光学アクセサリは、ワイドコンバータレンズ、テレコンバータレンズ、フィルタのいずれかであることを特徴とする請求項６記載の撮像装置。
【請求項８】
第１のバヨネット係合部がレンズ鏡筒の周囲に形成される撮像装置に装着可能なアクセサリであって、
前記第１のバヨネット係合部と係合可能な第２のバヨネット係合部が形成される第１の部材と、
前記第１の部材に対して回転する回転操作部材と、
前記回転操作部材が回転するときに、前記回転操作部材と一体となって回転する第２の部材と、
前記アクセサリを前記撮像装置から取り外す動作に連動して、前記回転操作部材と前記第２の部材との前記第１の部材に対する回転を阻止するロック部材と
を備えることを特徴とするアクセサリ。
【請求項９】
前記第２の部材には第１の開口部が周方向に一定の間隔で複数形成され、
前記第２のロック部材は、前記回転ロック部材が前記第１の開口部の１つに嵌合したときに、前記回転操作部材と前記第２の部材との前記第１の部材に対する回転を阻止することを特徴とする請求項８記載のアクセサリ。
【請求項１０】
前記第２の部材には前記第１の開口部より小さい幅を有する第２の開口部が周方向に一定の間隔で複数形成されることを特徴とする請求項９記載のアクセサリ。
【請求項１１】
前記第１の部材は、光学アクセサリの取り付けが可能なアダプタ部を有することを特徴とする請求項８乃至１０のいずれか１項に記載のアクセサリ。
【請求項１２】
前記光学アクセサリは、ワイドコンバータレンズ、テレコンバータレンズ、フィルタのいずれかであることを特徴とする請求項１１記載のアクセサリ。
【請求項１３】
レンズ鏡筒の周囲に形成される第１のバヨネット係合部と、
前記第１のバヨネット係合部と係合可能な第２のバヨネット係合部が形成される第１の部材と、
前記第１の部材に対して回転する回転操作部材と、
前記回転操作部材が回転操作するときに、前記回転操作部材と一体となって回転する第２の部材と、
前記第２の部材の回転を検出する検出手段と、
前記第１の部材の前記第１のバヨネット係合部に対する回転を阻止する第１のロック部材と、
前記回転操作部材と前記第２の部材との前記第１の部材に対する回転を阻止する第２のロック部材と
を備え、
前記第１のバヨネット係合部と前記第２のバヨネット係合部が係合するときに、前記第１のロック部材は前記第１の部材の前記第１のバヨネット係合部に対する回転を阻止し、
前記第１のロック部材が前記第１の部材の前記第１のバヨネット係合部に対する回転を阻止しないときに、前記第２のロック部材は前記回転操作部材と前記第２の部材との前記第１の部材に対する回転を阻止することを特徴とする撮像装置。
【請求項１４】
前記第２の部材には第１の開口部が周方向に一定の間隔で複数形成され、前記第２のロック部材は、前記第２のロック部材が前記第１の開口部の１つに嵌合したときに、前記回転操作部材及び前記第２の部材との前記第１の部材に対する回転を阻止することを特徴とする請求項１３記載の撮像装置。
【請求項１５】
前記検出手段は、前記第２の部材に対して光線を出射すると共に、前記第２の部材で反射される反射光と前記第１の開口部を通過することによって前記第１の部材で反射される反射光とを検出する第１のフォトリフレクタおよび第２のフォトリフレクタを備え、
前記第１の部材と前記第２の部材のそれぞれにおいて前記第１のフォトリフレクタと第２のフォトリフレクタから出射された光線が照射される面では、前記光線に対する反射率が異なり、
前記回転操作部材を回転させたときに、前記第２の部材からの反射光と前記第１の部材からの反射光を交互に検出する周期が、前記第１のフォトリフレクタと前記第２のフォトリフレクタとでは１／４周期ずれており、
前記第１のフォトリフレクタと前記第２のフォトリフレクタのそれぞれで前記第２の部材からの反射光の検出と前記第１の部材からの反射光の検出とが切り替わるタイミングのずれに基づいて前記回転操作部材の回転方向が検出されることを特徴とする請求項１４記載の撮像装置。
【請求項１６】
前記第１のフォトリフレクタと前記第２のフォトリフレクタの各々で前記第２の部材からの反射光の検出と前記第１の部材からの反射光の検出とが切り替わる回数に基づいて前記回転操作部材の回転量が検出されることを特徴とする請求項１５記載の撮像装置。
【請求項１７】
前記第２の部材には前記第１の開口部より小さい幅を有する第２の開口部が周方向に一定の間隔で複数形成され、
前記撮像装置は、さらに、
一部が前記第２の部材に形成された前記第２の開口部の１つに沈むように配置される鋼球と、
前記鋼球を前記第２の部材に対して付勢するクリックバネとを備え、
前記第２の部材が前記第１の部材に対して回転するときに、前記鋼球が前記第２のリング部材の前記第２の開口部の１つに係合した状態と前記第２のリング部材の表面を滑る状態とが切り替わることでクリック感を発生させることを特徴とする請求項１４乃至１６のいずれか１項に記載の撮像装置。
【請求項１８】
前記第１の部材は、光学アクセサリの取り付けが可能なアダプタ部を有することを特徴とする請求項１３乃至１７のいずれか１項に記載の撮像装置。
【請求項１９】
前記光学アクセサリは、ワイドコンバータレンズ、テレコンバータレンズ、フィルタのいずれかであることを特徴とする請求項１８記載の撮像装置。
【請求項２０】
第１のバヨネット係合部がレンズ鏡筒の周囲に形成される撮像装置に装着可能なアクセサリであって、
前記第１のバヨネット係合部と係合可能な第２のバヨネット係合部が形成される第１の部材と、
前記第１の部材に対して回転する回転操作部材と、
前記回転操作部材が回転するときに、前記回転操作部材と一体となって回転する第２の部材と、
前記回転操作部材と前記第２の部材との前記第１の部材に対する回転を阻止するロック部材と
を備え、
前記アクセサリが前記撮像装置に装着されていないときに、前記ロック部材は、前記回転操作部材と前記第２の部材との前記第１の部材に対する回転を阻止することを特徴とするアクセサリ。
【請求項２１】
前記第２の部材には第１の開口部が周方向に一定の間隔で複数形成され、
前記第２のロック部材は、前記回転ロック部材が前記第１の開口部の１つに嵌合したときに、前記回転操作部材と前記第２の部材との前記第１の部材に対する回転を阻止することを特徴とする請求項２０記載のアクセサリ。
【請求項２２】
前記第２の部材には前記第１の開口部より小さい幅を有する第２の開口部が周方向に一定の間隔で複数形成されることを特徴とする請求項２１記載のアクセサリ。
【請求項２３】
前記第１の部材は、光学アクセサリの取り付けが可能なアダプタ部を有することを特徴とする請求項２０乃至２３のいずれか１項に記載のアクセサリ。
【請求項２４】
前記光学アクセサリは、ワイドコンバータレンズ、テレコンバータレンズ、フィルタのいずれかであることを特徴とする請求項２３記載のアクセサリ。